(57)【要約】【課題】球受皿を装着した枠体の開放時に、球受皿に供給される遊技球が零れないようにすると共に、枠体の閉鎖時には球払出装置からの遊技球が球受皿に確実に流下するようにした遊技機を提供する。【解決手段】  球払出装置１４からの遊技球を払出し口９ａから球受皿９に導く払出経路１５は、遊技球を球受皿９に向けて排出する排出樋１６と、前枠７に設けられ排出樋１６からの遊技球を受け連通樋１７と、連通樋１７と排出樋１７の間に臨み前枠７の開閉に伴って払出経路１５を遮断又は開放する球止め機構１８とを備え、球止め機構１８は、排出樋１６の終端開口部１６ａに進退する球止め部材２１と、連通樋１７と接触する当接面を有し前後方向に沿ってスライドするガイド枠２２と、ガイド枠２２を連通樋１７側に付勢する付勢手段３１を備え、ガイド枠２２に連動して球止め部材２１が排出樋１６の終端開口部１６ａを遮断又は開放するようにした。【選択図】図６
2010094411.tif 000002
【特許請求の範囲】
【請求項１】
球払出装置を備えた内枠の前面に遊技球を貯留する球受皿を備えた前枠が開閉自在に軸支され、前記球払出装置から払い出された遊技球を球受皿に導く払出経路を備えた遊技機であって、
前記払出経路は前記球払出装置から払い出された遊技球を球受皿に向けて排出する排出樋と、前記前枠に設けられ前記排出樋からの遊技球を受ける連通樋と、該連通樋と前記排出樋の間に臨み前記前枠の開閉に伴って前記払出経路を遮断又は開放する球止め機構とを備え、
前記球止め機構は、前記排出樋の終端開口部に進退する球止め部材と、前記連通樋と接触する当接面を有し前後方向に沿ってスライドするガイド枠と、該ガイド枠と前記球止め部材とを連動させる連係手段と、前記ガイド枠を前記連通樋側に付勢する付勢手段とを備え、
前記前枠の開放時に前記連通樋の離間に伴って前記ガイド枠が前記付勢手段により前方に進出すると共に該ガイド枠に連動して球止め部材が前記排出樋の終端開口部において前記払出経路を遮断し、前記前枠の閉鎖時に連通樋が前記ガイド枠の当接面に当接して前記付勢手段に抗して後退すると共に該ガイド枠に連動して球止め部材が前記排出樋の終端開口部において前記払出経路を開放するようにしたことを特徴とする遊技機。
【請求項２】
前記ガイド枠は、前記球止め部材と接触し該球止め部材を可動させるガイド部を備え、該ガイド部は、所定の範囲で前記球止め部材の可動を制御する作用部と、前記球止め部材を前記排出樋の終端開口部から後退した位置に維持する保持部とを有することを特徴とする請求項１記載の遊技機。
【請求項３】
前記ガイド枠は前後に開放した門形をなし、前記球止め部材は左右及び前側壁を有する枠体形状をなし、前記連係手段を前記ガイド枠及び球止め部材の左右側壁にそれぞれ備えたことを特徴とする請求項１又は２に記載の遊技機。
【請求項４】
前記連通樋は前記排出樋と連通する開口部と連続して上方に開放する球受け部を前記球止め部材の下方に臨むように備え、前記内枠側に前記前枠の閉鎖時に前記球受け部に受けられた遊技球を球受け皿側に押出す球押し片を設けたことを特徴とする請求項１乃至３のいずれかに記載の遊技機。
【発明の詳細な説明】
【技術分野】
【０００１】
本発明は、遊技機に関し、特に球払出装置から払い出された遊技球が貯留される球受皿が装着される枠体の開放時に、球受皿に供給される遊技球が零れないようにした遊技機に関する。
【背景技術】
【０００２】
従来、遊技機の一種であるぱちんこ遊技機は、方形枠状の固定枠（外枠）に遊技盤を配設した本体基部（内枠）が開閉自在に装着され、その前面に前面扉（前枠）が開閉自在に装着されている。この前枠の前面には、内枠の裏側に配置された球払出装置から払い出される遊技球を払出し通路（排出樋）を介して貯留する供給皿（球皿）が装着される。そして、遊技中に遊技盤面や打球発射部でトラブルが発生した場合は、前枠を開けてそのトラブルに対処するようにしている。その際、球皿から排出樋にかけて遊技球が充満していると、前枠を開放したときに排出樋の遊技球が機外に零れ落ちて、遊技者に不利益を与えることになる。そのため、前枠を開放したときに、排出樋の流下端を閉塞されるようにシャッタ機構を設けて球零れを防止している遊技機が提案されている（特許文献１参照）。
【０００３】
このシャッタ機構は、排出樋の下部に自在に回動するシャッタとこのシャッタを常に排出樋の開口部を塞ぐ位置に付勢させるバネと、排出樋の側壁に回動可能に軸支された一対の回動部と、この回動部に両側が連結された阻止部とによって形成された連動部材（連結レバー）とを備えている。そして、前枠を閉じているときは、連動部材が中継通路で押圧されて回動し、阻止部が排出樋の上方に位置すると共にシャッタをバネの付勢力に抗して押圧し、シャッタを排出樋の開放位置に移動させる。また、前枠が開かれたときにはシャッタに押圧されて回動し、阻止部が排出樋の下流側端部で上方から下方に移動して、同時に下方から遮断片が突出することにより、排出樋の下流側端部を遮蔽して遊技球が零れるのを防止している。
【０００４】
【特許文献１】特開２００５−４０３０５号公報
【発明の開示】
【発明が解決しようとする課題】
【０００５】
しかしながら、特許文献１のような遊技機においては、第二の球止めとなる連結レバーを後方に回動してシャッタを可動させるため、連結レバーに球止めされた遊技球を球圧に抗して押し戻すことになる。そのため、押し戻された遊技球が通路内で球噛みを生じ、遊技球が流下できなくなるという問題がある。また、中継通路が水平移動するのに対して中継通路に押圧される連結レバーが鉛直方向に回動し、その回動量によってシャッタを可動するため、シャッタが払出し通路を開放した後も可動し続けることになる。そのため、下部扉の開放のタイミングによりシャッタが払出し通路を閉鎖する前に球零れを引き起こす虞がある。また、下部扉等のがたつきにより連結レバーが確実に押圧されないと、連結レバー及びシャッタの球止め機能が働いたままの状態となり、遊技球が流下できなくなるという問題がある。
【０００６】
本発明の遊技機は、上記従来技術の課題を解決することを目的とし、球受皿を装着してなる枠体の開放時に、球受皿に供給される遊技球が零れないようにすると共に、枠体の閉鎖時には球払出装置から払い出された遊技球が球受皿に確実に流下するようにした遊技機を提供することにある。
【課題を解決するための手段】
【０００７】
本発明は上記目的を達成するため、本発明の遊技機は、球払出装置を備えた内枠の前面に遊技球を貯留する球受皿を備えた前枠が開閉自在に軸支され、前記球払出装置から払い出された遊技球を球受皿に導く払出経路を備えた遊技機であって、前記払出経路は前記球払出装置から払い出された遊技球を球受皿に向けて排出する排出樋と、前記前枠に設けられ前記排出樋からの遊技球を受ける連通樋と、該連通樋と前記排出樋の間に臨み前記前枠の開閉に伴って前記払出経路を遮断又は開放する球止め機構とを備え、前記球止め機構は、前記排出樋の終端開口部に進退する球止め部材と、前記連通樋と接触する当接面を有し前後方向に沿ってスライドするガイド枠と、該ガイド枠と前記球止め部材とを連動させる連係手段と、前記ガイド枠を前記連通樋側に付勢する付勢手段とを備え、前記前枠の開放時に前記連通樋の離間に伴って前記ガイド枠が前記付勢手段により前方に進出すると共に該ガイド枠に連動して球止め部材が前記排出樋の終端開口部において前記払出経路を遮断し、前記前枠の閉鎖時に連通樋が前記ガイド枠の当接面に当接して前記付勢手段に抗して後退すると共に該ガイド枠に連動して球止め部材が前記排出樋の終端開口部において前記払出経路を開放するようにしたことを特徴とする。ここでいう「付勢手段」とは、別途設けるコイルばね，板ばね、又はガイド枠，排出樋等に一体的に設けられガイド枠を付勢する弾性片等である。なお、ガイド枠は付勢手段により直接又は間接的に付勢してもよい。
【０００８】
また、前記ガイド枠は、前記球止め部材と接触し該球止め部材を可動させるガイド部を備え、該ガイド部は、所定の範囲で前記球止め部材の可動を制御する作用部と、前記球止め部材を前記排出樋の終端開口部から後退した位置に維持する保持部とを有することを特徴とする。また、球止め部材にガイド枠のガイド部が接触するガイド突起を設け、ガイド部とガイド突起とによりガイド枠と球止め部材とを連係するようにしてもよい。また、連係手段はガイド部とガイド突起との連係の他に、リンク等により連係させるようにしてもよい。
【０００９】
また、前記ガイド枠は前後に開放した門形をなし、前記球止め部材は左右及び前側壁を有する枠体形状をなし、前記連係手段を前記ガイド枠及び球止め部材の左右側壁にそれぞれ備えたことを特徴とする。これにより、ガイド枠と連動して球止め部材を安定した状態で可動させることができる。
【００１０】
また、前記連通樋は前記排出樋と連通する開口部と連続して上方に開放する球受け部を前記球止め部材の下方に臨むように備え、前記内枠側に前記前枠の閉鎖時に前記球受け部に受けられた遊技球を球受け皿側に押出す球押し片を設けたことを特徴とする。これにより、連通樋からの球零れを確実に防止して、球受け部に受けられた遊技球を球受け皿に送ることができる。
【００１１】
前記連通樋は前枠の回動に伴い前枠の回動軸を中心とした円弧運動をし、前枠の軸支側に位置する連通樋の一側端がガイド枠の内側に入り込み、前枠が閉まりきる寸前で連通樋がガイド枠の当接面に当接してガイド枠を可動させるようにしてもよい。これにより、連通樋がガイド枠を押圧すると同時に球止め部材を押し下げるため、連通樋と排出樋との間で球零れや球噛みを発生させることはない。
【発明の効果】
【００１２】
上述した遊技機によれば、ガイド枠をスライドさせることにより球止め部材を可動させ排出樋の終端開口部を開閉するようにしたので遊技球を排出樋側に押し戻すことがなく、排出樋内で球噛みすることがない。またガイド枠に連通樋と接触する当接面を有することにより、前枠の閉鎖時に連通樋が確実にガイド枠を接触することができ、ガイド枠と連動する球止め部材が中途半端な位置で止まることがない。そのため、遊技球の流下に支障をきたすことがなく、確実に遊技球を球受皿に導くことができる。
【００１３】
また、ガイド枠に球止め部材を排出樋の終端開口部から後退した位置を維持する保持部を設けるようにしたので、たとえ前枠等に僅かにがたつきがあったとしても球止め部材を開口部から後退した位置に確実に保持することができ、遊技球の流下に支障をきたすことがない。
【発明を実施するための最良の形態】
【００１４】
以下に、この発明を実施するための最良の形態について図面を参照して説明する。図１は遊技機としてのぱちんこ遊技機の正面図、図２はぱちんこ遊技機の背面図である。ぱちんこ遊技機１は、図１及び図２に示すように、そのぱちんこ遊技機１の外郭を形成する額縁状の外枠２を備え、その外枠２の前面に一側を軸支手段を介して枢支して、その前面側に向かって片開き可能に内枠３が支持されている。内枠３には、ガイドレール４により遊技領域５ａが形成された遊技盤５が装着され、その下方に発射機構（図示せず）が設けられている。また、内枠３の一側に遊技盤５の正面を覆う透明板を備えた前面枠６が開閉自在に設けられている。そして、その下方に前枠７が開閉自在に軸支され、その前面に遊技球を貯留し、貯留した遊技球を整流して発射機構に遊技球を供給する球受皿９が設けられている。また、この球受皿９の右下側に遊技球の発射力を調節する発射ハンドル１０が設けられている。
【００１５】
なお、本明細書において、ぱちんこ遊技機１における上下方向とは遊技盤５の盤面に沿う態様で遊技領域５ａを遊技球が流下する方向（鉛直方向）を意味する。また、左右方向とは遊技盤５の盤面に沿う態様で上下方向に直交する方向（水平方向）を意味する。また、前後方向とは遊技盤５の盤面に直交する方向（水平方向）を意味し、遊技盤５の遊技者側が前側であり、遊技盤５の奥側（遊技領域５ａの反対側）が後側である。
【００１６】
内枠３は、図２に示すように合成樹脂により縦長方形状に形成されると共に中央に窓部１１が開設された枠状に形成され、窓部１１の背面上方には、補給経路（図示せず）から補給される遊技球を貯留する球タンク１２が設けられると共に、球タンク１２の下流側に遊技球を整列して流下する直線及び屈曲状の球誘導路１３が設けられる。そして、その下流に所定個数の遊技球を払出す球払出装置１４が設けられ、その下方には、球払出装置１４から払出された遊技球を球受皿９（図１参照）へ導く払出経路１５を備えている。
【００１７】
払出経路１５は、図２に示すように球払出装置１４から払い出された遊技球を球受皿９に向けて排出する排出樋１６と、球受皿９の払出し口９ａに連通して前枠７に設けられ排出樋１６からの遊技球を受ける角筒状の連通樋１７と、該連通樋１７と排出樋１６の間に臨み前枠７の開閉に伴って払出経路１５を遮断又は開放する球止め機構１８とを備えている。排出樋１６は下流端がＬ字状に屈曲又は湾曲して形成され、球払出装置１４から略鉛直方向に払い出された遊技球を受けて前方の球受皿９に向けて流下変更するようにしている。排出樋１６の終端開口部１６ａは、幅が遊技球２個程度で高さは遊技球が積み重ならない遊技球略１個分の大きさを有しており、Ｌ字状に屈曲した下流側上面にはリブ壁１９及びガイド筒２０が形成されている。
【００１８】
球止め機構１８は、排出樋１６の終端開口部１６ａに進退する球止め部材２１と、この球止め部材２１と連動し排出樋１６に沿って前後方向にスライド（進退）するガイド枠２２と、ガイド枠２２と球止め部材２１とを連動させる連係手段４０と、このガイド枠２２を連通樋１７側に直接的に付勢する付勢手段としてのスプリング３１とを備えている。なお、実施例では連係手段４０をガイド枠２２及び球止め部材２１に排出樋１６の終端開口部１６ａに対して左右一対備えている。
【００１９】
球止め部材２１は、上面及び後方が開放し前側壁及び左右側壁を有する箱状の枠体形状をなし、排出樋１６の屈曲部近傍に設けられる軸ピン２３に後端を軸支して、排出樋１６の下流端を下方から囲うように可動（揺動）自在に設けられる。そして、前側壁が排出樋１６の開口部１６ａに臨んで遊技球の流下を遮断する球止め部２４としての機能を有している。また、ガイド枠２２との連係手段４０として左右両側壁の前方寄りには、軸ピン２３と平行状にガイド突起２５が設けられている。球止め部材２１は、軸ピン２３を中心に球止め部２４が開口部１６ａに臨み払出経路１５を遮断する第一位置と球止め部２４が開口部１６ａから後退し払出経路１５を開放する第二位置と、の間で傾動自在に設けられ、軸ピン２３に巻装した捻りコイルばね２６（付勢手段）により球止め部２４が開口部１６ａに下方から臨むように常に上方（第一位置側）に付勢されている。なお、この実施例では、捻りコイルばね２６は、球止め部材２１のガイド突起２５を常にガイド枠２２のガイド面２８に当接させて、球止め部材２１とガイド枠２２とを連動させる連係手段４０としての役割をなしている。このように、球止め部材２１の下方に付勢部材を配置せず軸ピン２３に捻りコイルばね２６を配置しているので、球止め部材２１の下方空間の制約がなくなり、設計の自由度向上などの効果を有する。また、捻りコイルばね２６の付勢力を調節することで、球止め部材２１の動きをより安定させることができる。
【００２０】
ガイド枠２２は、前後に開放した門形をなし、前面に連通樋１７と接触し作用する当接面２７（作用面）を有している。また、ガイド枠２２の両側壁下面に球止め部材２１のガイド突起２５と接触し球止め部材２１の揺動を規制する連係手段４０としてのガイド部がガイド面２８として形成され、上壁にはガイド枠２２の可動範囲を規制するガイド孔２９が長孔状に形成されている。ガイド面２８は、傾斜状（テーパー状）に形成され、その傾斜により所定の範囲で球止め部材２１の可動を制御する作用部２８ａと、球止め部材２１を排出樋１６の終端開口部１６ａから後退した所定高さ位置に維持する水平状の保持部２８ｂとで構成されている。
【００２１】
球止め機構１８は、球止め部材２１の後端を軸ピン２３に軸支すると共に、軸ピン２３に巻装した捻りコイルばね２６により球止め部２４が常に上方に付勢されて、開口部１６ａを閉鎖するように上動する。そして、ガイド枠２２を排出樋１６のリブ壁１９に支持すると共にガイド孔２９にガイド筒２０を遊挿し、プレート３０をガイド筒２０にビス着することにより、ガイド枠２２が排出樋１６に沿って前後方向にスライド自在に設けられる。このとき、球止め部材２１の両側一対のガイド突起２５が捻りコイルばね２６の付勢によりガイド枠２２の両側一対のガイド面２８と常に接触状態にある。このように、球止め部材２１とガイド枠２２はそれぞれの左右両側で連係されるので、安定性があり球止め部材２１とガイド枠２２とを確実に連動させることができる。また、ガイド枠２２は、リブ壁１９間でありガイド枠２２の後端と排出樋１７の側壁間に配設されたスプリング３１（付勢手段）により連通樋１７側に直接的に付勢され、連通樋１７との接離により進退するようにしている。このように、リブ壁１９及びプレート３０を利用することでガイド枠２２を付勢するスプリング３１を簡単に配置することができる。
【００２２】
次に球止め機構１８の作用を説明する。内枠３に対して前枠７を開放した状態では、ガイド枠２２がスプリング３１により連通樋１７側（前方）に付勢され、球止め部材２１が捻りコイルばね２６の付勢により上方に付勢されている。このとき、ガイド枠２２はガイド孔２９とガイド筒２０により前方への移動が規制され、球止め部材２１の上動範囲はガイド面２８の作用部２８ａにより規制されている。具体的には、図６（ロ）に示すようにガイド突起２５がガイド面２８の作用部２８ａに接触し、球止め部２４が開口部１６ａに臨んで遊技球の流下を遮断している。なお、球止め部２４は排出樋１６内の遊技球Ｋの球心より下方を支持して遊技球Ｋを排出樋１６内に停留するようにしている。このとき、球止め部材２１が枠体形状をしているため、球止め部２４に衝撃・負荷がかかったとしても、耐久性があり破損等による球零れ・球詰り等の不具合を引き起こすことはない。また、排出樋１６の終端開口部１６ａの高さを遊技球が積み重ならない遊技球略１個分の大きさとしているため、球止め部２４に球止めされた遊技球を乗り越えて球零れすることはない。
【００２３】
前枠７が閉鎖した状態では、連通樋１６の後端がガイド枠２２の当接面２７をスプリング３１の付勢に抗して押圧して、ガイド枠２２がスライド後退した位置にある。そして、ガイド枠２２の後退に伴い球止め部材２１は、ガイド枠２２のガイド面２８により捻りコイルばね２６の付勢に抗してガイド突起２５が規制されることにより下動して、球止め部２４が排出樋１６の開口部１６ａから後退して連通樋１７と排出樋１６が連通し、払出経路１５を遊技球が流下可能な状態としている。これにより、球払出装置１４により払い出された遊技球は、排出樋１６及び連通樋１７を介して払出し口９ａから球受皿９に導かれる。このとき、ガイド突起２５はガイド面２８の作用部２８ａから保持部２８ｂに移動し、球止め部２４が排出樋１６の開口部１６ａの僅か下方位置で停止保持している。ガイド面２８に排出樋１６の終端開口部１６ａから後退した位置を維持する保持部２８ｂを設けることで、球止め部２４を排出樋１６の開口部１６から後退した位置に確実に保持することができ、球止め部２４が僅かに開口部１６に臨んで遊技球の流下を妨げたり、球止まりを引き起こしたりすることがない。
【００２４】
また、前枠７が開放されると、連通樋１７は前枠７の開放に伴って前方に移動する。この連通樋１７の移動により、スプリング３１の付勢に抗して後方に押圧されていたガイド枠２２が、スプリング３１の付勢により前方にスライド移動する。そして、それに伴いガイド枠２２のガイド面２８によりガイド突起２５が規制され、捻りコイルばね２６の付勢に抗して下動していた球止め部材２１が、捻りコイルばね２６の付勢によりガイド面２８の作用部２８ａに沿って上動し、球止め部２４が排出樋１６の開口部１６ａに臨んで払出経路１５を遮断する。
【００２５】
なお、球止め部２４が開口部１６ａに遊技球の半径以上臨んで遊技球を球心で球止めするようにしてもよく、排出樋１６内の球圧が大きくても球止め部材２１を誤作動させることがなく、確実に球止めすることができる。また、この実施例において、球止め部材２１とガイド枠２２との連係手段４０を球止め部材２１に設けたガイド突起２５とガイド枠２２に設けたガイド面２８により連係するようにしたが、ガイド枠２２にガイド突起を設け、球止め部材２１にガイド面を設けるようにしてもよい。また、ガイド枠２２のガイド面２８をテーパー状の作用部２８ａのみで形成することにより、スプリング３１を設けることなく球止め部材２１を付勢する捻りコイルばね２６の付勢によりガイド枠２２を間接的に連通樋１７側へ付勢することも可能である。
【００２６】
また、スプリング３１に替えて図７に示すように、ガイド枠２２と一体的に排出樋１６の壁面に接触する弾性片３６を設け、ガイド枠２２を連通樋１７側に付勢するようにしてもよい。このとき、弾性片３６は少なくともガイド突起２５が図４（ロ）に示す保持部２８ｂと接触している位置から作用部２８ａに移動するだけの付勢力があればよく、ガイド突起２５が作用部２８ａに移動した後は、捻りコイルばね２６の付勢力によりガイド突起２５がガイド枠２２の作用部２８ａを押すことで、ガイド枠２２を連通樋１７側に移動する作用が働く。つまり、図７（イ）に示す前枠７が開放した状態では、捻りコイルばね２６の付勢力により球止め部材２１が上動して排出樋１６の開口部１６ａに臨み払出経路１５を遮断すると共にガイド枠２２を連通樋１７側に移動させている。そして、図７（ロ）に示す前枠７が閉鎖した状態では、ガイド枠２２は連通樋１７に押され排出樋１６に沿って後退し、弾性片３６が排出樋１６の周壁に弾接している。このとき、ガイド突起２５はガイド枠２２の作用部２８ａから保持部２８ｂに移動した位置にある。このため、捻りコイルばね２６の付勢力はガイド突起２５が保持部２８ｂに接触している状態ではガイド枠２２を持ち上げようとするも、連通樋１７側に押出す作用は働かない。そこで、弾性片３６の付勢によりガイド突起２５が保持部２８ｂと接触している位置から作用部２８ａと接触する位置に移動させるだけで、あとは捻りコイルばね２６の付勢力により球止め部材２１に連動してガイド枠２２を連通樋１７側に移動させることができる。このように、補助的な弾性片３６を設けることでガイド枠２２を直接的に付勢するスプリング３１をなくすことができ、部品点数を削減してコストの低減を図ると共に組立も容易にすることができる。なお、弾性片３６は排出樋１６側に設けるようにしてもよい。また、当然のことながら捻りコイルばね２６の付勢力を利用することなく弾性片３６によってガイド枠２２を連通樋１７側に移動させるようにしてもよい。
【００２７】
図８はガイド枠と球止め部材との連係の他の実施例を示す。この実施例は、図８に示すようにガイド枠２２Ａの両側壁にガイド面に替えて球止め部材２１のガイド突起２５が遊挿されるガイド長孔３２を形成している。このガイド長孔３２は、傾斜状に形成され球止め部材２１を上下動させる作用部３２ａと球止め部材２１を所定高さ位置に維持する水平状の保持部３２ｂとで逆へ字状（Ｖ字状）に形成されている。そして、ガイド枠２２Ａは図示しないスプリング等の付勢手段により連通樋１７側に直接的に付勢されており、図８（イ）に示す前枠７の開放状態では、ガイド枠２２Ａが連結樋１７の押圧から解放されて、付勢手段により連通樋１７側に水平移動する。それに伴って、ガイド突起２５がガイド長孔３２にガイドされて球止め部材２１が上動し、球止め部２４が排出樋１６の開口部１６ａに臨んで払出経路１５を遮断する。
【００２８】
また、前枠７を閉鎖すると連通樋１７によってガイド枠２２Ａの当接面２７を押圧し、図８（ロ）に示すようにガイド枠２２Ａを付勢手段の付勢に抗して後退させる。すると、ガイド突起２５がガイド長孔３２の作動部３２ａに沿って移動して球止め部材２１が下動し、球止め部２４が開口部１６ａから下方に後退することにより排出樋１６と連通樋１７とが連通して払出経路１５を開放する。このように、ガイド枠２２Ａと球止め部材２１とをガイド長孔３２にガイド突起２５を遊挿することで連係し、球止め部材２１をガイド枠２２Ａの動きに連動するようにしたので、ガイド枠２２Ａ及び球止め部材２１を付勢する付勢手段をそれぞれ設ける必要がなく、例えば前記実施例で示したガイド枠２２を付勢するスプリング３１を用いることにより球止め部材２１の動きを規制することができる。
【００２９】
図９はガイド枠と球止め部材との連係のさらに他の実施例を示す。なお、この実施例において、前記実施例と異なる点は、ガイド枠２２Ｂと球止め部材２１をリンク３３（連係手段４０）により連係する点であるため、前記実施例と同じ構成には同符号を付して説明する。具体的には、図９に示すように、ガイド枠２２Ｂの側壁に軸部３４を突設し、球止め部材２１の側壁に突設した軸部３７を、リンク３３の軸孔３５に軸部３４及び軸部３７を嵌挿して、リンク３３を介してガイド枠２２Ｂと球止め部材２１とを連係している。軸部３４と軸部３７の位置関係は、前枠７が閉鎖して払出経路１５が開放した状態（ガイド枠２２が連通樋１７に押圧された状態）で球止め部材２１の軸部３７がガイド枠２２の軸部３４の略直下位置になるように設定され、リンク３３が垂下した状態としている。つまり、この状態が球止め部材２１の最下位置となり、球止め部２４が開口部１６ａから後退して払出経路１５を開放した状態にある。このように、リンク３３を介してガイド枠２２Ｂと球止め部材２１を連係させることで、球止め部材２１をガイド枠２２Ｂの動きに確実に連動させることができる。
【００３０】
なお、ガイド枠２２Ａ，２２Ｂをスプリング等の付勢手段により連通樋１７側へ直接的に付勢するようにしたが、図８及び図９に示すようにガイド枠２２Ａ（２２Ｂ）と球止め部材２１をガイド長孔３２とガイド突起２５又はリンク３３で連係させることで、例えば前記実施例で示した球止め部材２１を付勢する捻りコイルばね２６等の付勢によりガイド枠２２Ａ，２２Ｂを間接的に連通樋１７側へ付勢するようにしてもよい。
【００３１】
図１０はガイド枠と球止め部材との連係のさらに他の実施例を示す。この実施例は、図１０に示すように球止め部材２１Ａの球止め部２４を上方から臨ませて球止めするように設けている点である。なお、この実施例におけるガイド部材２２Ｃ及び球止め部材２１Ａは前記実施例と略同じ形状を上下反転した形状であり、同じ構成には同符号を付して説明する。終端が屈曲して設けられる排出樋１６の下面にガイド枠２２Ｃの動きを規制するガイド筒２０及びリブ壁１９が設けられている。ガイド枠２２Ｃは、前後及び上方を開放した凹形をなし、前面に連通樋１７と接触する当接面２７（作用面）を有している。そして、両側壁上縁面に球止め部材２１Ａのガイド突起２５と接触し球止め部材２１Ａの揺動を規制するガイド面２８が形成され、下壁には可動範囲を規制するガイド孔２９が形成されている。ガイド面２８はテーパー状に形成され、その傾斜により球止め部材２１Ａを上下動させる作用部２８ａと球止め部材２１Ａを所定高さ位置に維持する保持部２８ｂとで構成されている。そして、ガイド枠２２Ｃは、ガイド孔２９にガイド筒２０が遊挿され、プレート３０をガイド筒２０にビス着して、ガイド枠２２Ｃが遊技球の流下方向（実施例では前後方向）に沿ってスライド自在に設けられる。また、ガイド枠２２Ｃは、このガイド枠２２Ｃ内であり当接面２７の後面とガイド筒２０との間に収められスプリング３１（付勢手段）により連通樋１７側に直接的に付勢される。
【００３２】
球止め部材２１Ａは、下面及び後方が開放し左右及び前側壁を有する枠体形状をなし、排出樋１６の下流端を上方から囲うように排出樋１６に後端を軸ピン２３により軸支して、揺動自在に設けられる。そして、前側壁が排出樋１６の開口部１６ａに臨んで遊技球の流下を遮断する球止め部２４としての機能を有している。また、両側壁にはガイド突起２５が設けられている。球止め部材２１Ａは、自重により球止め部２４が開口部１６ａに臨むような重心位置としている。なお、スプリング３１の配置をガイド枠２２の後端で付勢するようにして、このガイド枠２２で前枠７の開放のタイミングで連通樋１７から零れた遊技球を受けるようにしてもよい。また、前枠７を閉鎖したときに、連通樋１７に連動してガイド枠２２で受けた遊技球を下方から押し上げ連通樋１７に戻すようにするのがよい。
【００３３】
図１１乃至図１３に示す実施例は、連通樋の他の実施例を示している。この実施例の連通樋１７Ａは、前枠７の開閉時に連通樋１７Ａからの球零れを防止する球受け部４５を設けている。球受け部４５は、排出樋１６との連通部を段状に切り欠くように上面が開放して設けられ、前枠７の閉鎖時には図１３（ロ）に示すように球止め部材２１の下方に入り込むように設けられる。つまり、球受け部４５は排出樋１６から下方に位置ずれ（オフセット）して配置され、成型又は組み付け時のばらつきを吸収し、排出樋１６から連通樋１７Ａに遊技球を確実に流下させる。また、内枠３に球止め部材２１の下方に位置して球押し片４６が設けられ、球受け部４５に受けられた遊技球を前枠７の閉鎖時に球受皿９側に押出すようにしている。なお、連通樋１７Ａの上面一側端部（半径方向外側）には当接面２７に当接する当接リブ４７が設けられている。
【００３４】
次に図１２及び図１３を参照して作用を説明する。前枠７を開放されている状態から閉鎖方向に回動すると、まず図１３（イ）に示すように球受け部４５がガイド枠２２の下方に入り込むと共に、図１１及び図１２（イ）に示すように前枠７の軸支側に位置する連通樋１７Ａの一側端がガイド枠２２の前面開放部から内側に入り込む。そして、連通樋１７Ａの開口端とガイド枠２２の当接面２７が略平行状になり前枠７が閉まりきる寸前で当接リブ４７及び連通樋１７Ａの端部がガイド枠２２の当接面２７に当接し、ガイド枠２２を可動させる。このように、ガイド枠２２を可動させるタイミングを遅くすることで、前枠７が閉じる直近で球止め部材２１を作用させることができ、排出樋１６と連通樋１７Ａ間で起こる球噛みや球零れを確実に防ぐことができる。そして、さらに前枠７を閉鎖方向に回動すると、球受け部４５が球止め部材２１の下方に入り込み、図１２（ロ）及び図１３（ロ）に示すように連通樋１７Ａの開口端面がガイド枠２２の両側当接面２７に当接してガイド枠２２を押し、このガイド枠２２に連動して図１３（ロ）に示すように球止め部材２１が下動し、球止め部２４による払出経路１５の遮断を解除し払出経路１５を開放する。このとき、球受け部４５に受けられていた遊技球は球押し片４６により球受け皿９に向けて確実に押し出され、球零れを起こすことはない。また、当接リブ４７は、図１２（ロ）に示すように前枠７の閉鎖時に側面がプレート３０の側端に当接して、前枠７の回動に伴う連通樋１７Ａの過回動を規制する役割も果たしている。また、球押し片４６が球止め部材２１の過揺動を規制するようにしてもよい。また、ガイド面２８の作用部２８ａの始端側（保持部２８ｂの反対側）に保持部２８ｂと同様の水平部を設け、連通樋１７がガイド枠２２に当接してガイド枠２２がスライドし始めても球止め部材２１が球止め状態を維持するようにして、前枠７が閉まりきる寸前で球止め部材２１を作用させるようにしてもよい。
【００３５】
なお、上記実施例において、前面枠６と前枠７が個々に開閉するようにしたが、前面枠６と前枠７が一体的に開閉する遊技機としてもよい。また、遊技機としてぱちんこ遊技機を例に説明したが、遊技球を遊技媒体として遊技領域に打ち出して遊技する雀球遊技機，アレンジボール式遊技機等にも本発明を適用することができる。また、実施の形態に示した内容に限定されるものではなく、この発明の要旨を逸脱しない範囲で、種々の形態を実施し得るものである。
【図面の簡単な説明】
【００３６】
【図１】ぱちんこ遊技機の正面図である。
【図２】ぱちんこ遊技機の背面図である。
【図３】前枠を開放したぱちんこ遊技機の要部斜視図である。
【図４】（イ），（ロ）は球止め機構の作用状態を示す斜視図である。
【図５】球止め機構の分解斜視図である。
【図６】（イ），（ロ）は球止め機構の作用状態を示す側断面図である。
【図７】（イ），（ロ）は他の球止め機構の作用を示す平面図である。
【図８】（イ），（ロ）はガイド枠の他の実施例を示す説明図である。
【図９】（イ），（ロ）は球止め機構の他の実施例を示す斜視図である。
【図１０】（イ），（ロ）は球止め機構の他の実施例を示す作用説明図である。
【図１１】連通樋の他の実施を示す球止め機構の斜視図である。
【図１２】（イ），（ロ）は図１１の球止め機構の作用を示す平面図である。
【図１３】（イ），（ロ）は図１１の球止め機構の作用を示す側断面図である。
【符号の説明】
【００３７】
１      ぱちんこ遊技機（遊技機）
３      内枠
７      前枠
９      球受皿
９ａ    払出し口
１４    球払出装置
１５    払出経路
１６    排出樋（払出経路）
１６ａ  開口部
１７    連通樋
１７Ａ  連通樋（払出経路）
１８    球止め機構（払出経路）
２１    球止め部材（球止め機構）
２１Ａ  球止め部材（球止め機構）
２２    ガイド枠（球止め機構）
２２Ａ  ガイド枠（球止め機構）
２２Ｂ  ガイド枠（球止め機構）
２２Ｃ  ガイド枠（球止め機構）
２５    ガイド突起（連係手段）
２６    捻りコイルばね（連係手段，付勢手段）
２７    当接面
２８    ガイド面（ガイド部，連係手段）
２８ａ  作用部
２８ｂ  保持部
２９    ガイド孔
３０    プレート
３１    スプリング（付勢手段）
３２    ガイド長孔（ガイド部，連係手段）
３２ａ  作用部
３２ｂ  保持部
３３    リンク（連係手段）
４０    連係手段
４５    球受け部
４６    球押し片
【図１】
2010094411.tif 000003
【図２】
2010094411.tif 000004
【図３】
2010094411.tif 000005
【図４】
2010094411.tif 000006
【図５】
2010094411.tif 000007
【図６】
2010094411.tif 000008
【図７】
2010094411.tif 000009
【図８】
2010094411.tif 000010
【図９】
2010094411.tif 000011
【図１０】
2010094411.tif 000012
【図１１】
2010094411.tif 000013
【図１２】
2010094411.tif 000014
【図１３】
2010094411.tif 000015